(57)【要約】【課題】  レンズ枠に貫通溝を形成するズームレンズ鏡筒において、単純な遮光部材で全ズーム域の遮光を図ることができる遮光構造を得る。【解決手段】大径順に、外鏡筒と、この外鏡筒に対して相対移動可能で貫通溝を有する中鏡筒と、この中鏡筒に対して相対移動可能な内鏡筒とを同軸に有するズームレンズ鏡筒において、内鏡筒の外周面に、中鏡筒の上記貫通溝に相対移動自在に嵌まる突起を形成し、内鏡筒に、該内鏡筒に固定される固定部と、この固定部から径方向に突出して中鏡筒の貫通溝を通過し先端部が上記外鏡筒の内周面に接触する弾性変形可能な遮光弾性舌片とを有する遮光シートを設けたズームレンズ鏡筒の遮光構造。【選択図】  図１
2006079070.tif 000002
【特許請求の範囲】
【請求項１】
大径順に、外鏡筒と、この外鏡筒に対して相対移動可能で貫通溝を有する中鏡筒と、この中鏡筒に対して相対移動可能な内鏡筒とを同軸に有するズームレンズ鏡筒において、
上記内鏡筒の外周面に、中鏡筒の上記貫通溝に相対移動自在に嵌まる突起を形成し、
上記内鏡筒に、該内鏡筒に固定される固定部と、この固定部から径方向に突出して中鏡筒の貫通溝を通過し先端部が上記外鏡筒の内周面に接触する弾性変形可能な遮光弾性舌片とを有する遮光シートを設けたことを特徴とするズームレンズ鏡筒の遮光構造。
【請求項２】
請求項１記載のズームレンズ鏡筒の遮光構造において、中鏡筒と外鏡筒との間には、ズーミングに伴い該中鏡筒と外鏡筒に対して相対移動する遮光シート変形枠が位置しており、この遮光シート変形枠は、遮光シートの遮光弾性舌片と当接したとき、該遮光弾性舌片を、外鏡筒との接触状態から該遮光シート変形枠との接触状態に弾性変形させるズームレンズ鏡筒の遮光構造。
【請求項３】
請求項１または２記載のズームレンズ鏡筒の遮光構造において、中鏡筒の貫通溝は光軸と平行な直進案内貫通溝であるズームレンズ鏡筒の遮光構造。
【請求項４】
請求項２または３記載のズームレンズ鏡筒の遮光構造において、外鏡筒は、回転駆動されて上記中鏡筒、内鏡筒及び遮光シート変形枠を所定の軌跡で駆動するカム環であるズームレンズ鏡筒の遮光構造。
【請求項５】
請求項４記載のズームレンズ鏡筒の遮光構造において、遮光シート変形枠は、二重筒構造をなしていて、その内筒と外筒の間に、上記カム環が位置しており、上記遮光シートの遮光弾性舌片は、この二重筒構造の遮光シート変形枠の内筒によって弾性変形されるズームレンズ鏡筒の遮光構造。
【請求項６】
請求項２ないし５のいずれか１項記載のズームレンズ鏡筒の遮光構造において、上記遮光シート変形枠、中鏡筒及び内鏡筒は、物体側から順に位置する第１レンズ群、第２レンズ群及び第３レンズ群をそれぞれ支持した１群移動枠、２群移動枠及び３群移動枠であるズームレンズ鏡筒の遮光構造。
【請求項７】
請求項２ないし６のいずれか１項記載のズームレンズ鏡筒の遮光構造において、中鏡筒の貫通溝は、遮光シート変形枠と内鏡筒をガイドする溝であるズームレンズ鏡筒の遮光構造。
【請求項８】
請求項２ないし７のいずれか１項記載のズームレンズ鏡筒の遮光構造において、中鏡筒の貫通溝に相対摺動自在に嵌まる内鏡筒の突起は、遮光シート変形枠と係合しているズームレンズ鏡筒の遮光構造。
【発明の詳細な説明】
【技術分野】
【０００１】
本発明は、ズームレンズ鏡筒の遮光構造に関する。
【背景技術】
【０００２】
ズームレンズ鏡筒では、各レンズ群を支持したレンズ枠を光軸方向に直進案内することが広く行われている。この直進案内機構は各種が提案されているが、基本的には固定側部材に光軸と平行な直進案内溝を形成し、可動部材（レンズ枠）にこの直進案内溝に嵌まる直進案内突起を形成している。
【発明の開示】
【発明が解決しようとする課題】
【０００３】
近年のズームレンズ鏡筒は、小型小径化のため、直進案内溝を貫通溝とする場合があり、この貫通溝から有害光が進入するおそれがある。つまり、ズームレンズ鏡筒では、ズーミングに伴い複数のレンズ枠の光軸方向の相対位置が変わるため、その相対位置によっては貫通溝から撮影に関係のない有害光が撮像面に達し、画像を損ねるおそれがあった。従来、この有害光の進入を防止するための遮光構造が施されているが、複数のレンズ枠の光軸方向の相対位置がズーミングにより変化するため、全ズーム域において有効で簡単な遮光構造を得ることが困難であった。
【０００４】
本発明は従って、レンズ枠に貫通溝を形成するズームレンズ鏡筒において、単純な遮光部材で全ズーム域の遮光を図ることができる遮光構造を得ることを目的とする。
【課題を解決するための手段】
【０００５】
本発明は、大径順に、外鏡筒と、この外鏡筒に対して相対移動可能で貫通溝を有する中鏡筒と、この中鏡筒に対して相対移動可能な内鏡筒とを同軸に有するズームレンズ鏡筒において、内鏡筒の外周面に、中鏡筒の貫通溝に相対移動自在に嵌まる突起を形成し、内鏡筒に、該内鏡筒に固定される環状部と、この環状部から径方向に突出して中鏡筒の各貫通溝を通過し先端部が外鏡筒の内周面に接触可能で接触したとき弾性変形する複数の遮光弾性舌片とを有する遮光シートを設けたことを特徴としている。
【０００６】
本発明の遮光構造は、中鏡筒と外鏡筒との間に、ズーミングに伴い該中鏡筒と外鏡筒に対して相対移動する遮光シート変形枠を位置させ、この遮光シート変形枠が遮光シートの遮光弾性舌片と当接したとき、該遮光弾性舌片を、外鏡筒との接触状態から該遮光シート変形枠との接触状態に弾性変形させるズームレンズ鏡筒において特に有用である。
【０００７】
本発明は、中鏡筒の貫通溝が非線形のカム溝のときも、光軸と平行な直進案内溝のときも適用することができる。
【０００８】
本発明のズームレンズ鏡筒では、外鏡筒は、具体的には例えば、回転駆動されて上記中鏡筒、内鏡筒及び遮光シート変形枠を所定の軌跡で駆動するカム環とすることができる。
【０００９】
遮光シート変形枠は、二重筒構造とし、その内筒と外筒の間に、カム環を位置させることができる。遮光シートの遮光弾性舌片は、この二重筒構造の遮光シート変形枠の内筒によって弾性変形される。
【００１０】
また本発明の一態様では、遮光シート変形枠、中鏡筒及び内鏡筒はそれぞれ、物体側から順に位置する第１レンズ群、第２レンズ群及び第３レンズ群をそれぞれ支持した１群移動枠、２群移動枠及び３群移動枠とすることができる。
【００１１】
また、中鏡筒の貫通溝は、遮光シート変形枠と内鏡筒をガイドする溝とすることができ、中鏡筒の貫通溝に相対摺動自在に嵌まる内鏡筒の突起は、遮光シート変形枠と係合させることができる。
【発明の効果】
【００１２】
本発明によれば、大径順に、外鏡筒と、この外鏡筒に対して相対移動可能で貫通溝を有する中鏡筒と、この中鏡筒に対して相対移動可能な内鏡筒とを同軸に有し、内鏡筒の外周面に、中鏡筒の貫通溝に相対移動自在に嵌まる突起を形成するズームレンズ鏡筒において、内鏡筒に、該内鏡筒に固定される固定部と、この固定部から径方向に突出して中鏡筒の貫通溝を通過し先端部が外鏡筒の内周面に接触する弾性変形可能な遮光弾性舌片とを有する遮光シートを設けるという簡単な構成で、全ズーム域において貫通溝から有害光が撮像面に到達するのを防ぐことができる。
【発明を実施するための最良の形態】
【００１３】
図示実施形態は、本出願人が特願２００３-２７３４１号等で提案したズームレンズ鏡筒に本発明を適用した実施形態である。まず、図１ないし図１９についてこのズームレンズ鏡筒の全体構造を説明する。このズームレンズ鏡筒の光学系は、図１に示すように、物体側から順に、正のパワーの第１レンズ群Ｌ１、負のパワーの第２レンズ群Ｌ２、正のパワーの第３レンズ群Ｌ３、及び正のパワーの第４レンズ群Ｌ４からなるバリフォーカルレンズ系である。変倍は、第１ないし第３レンズ群Ｌ１〜Ｌ３で行い、変倍に伴う焦点移動を第４レンズ群Ｌ４で補正する。変倍時に第１レンズ群Ｌ１と第３レンズ群Ｌ３は一定間隔を保って一緒に移動する。第４レンズ群Ｌ４は同時にフォーカス群である。図１は、ズーミング軌跡と収納時の軌跡の両方を描いている。
【００１４】
カメラボディに固定される固定筒１１には、例えば図８に示すように、その内周面に雌ヘリコイド１１ａと、光軸Ｏと平行な方向の直進案内溝１１ｂとが形成されている。この固定筒１１の雌ヘリコイド１１ａには、図９に示すように、カムヘリコイド環（カム環、外鏡筒）１２の後端部に形成した雄ヘリコイド１２ａが螺合する。雄ヘリコイド１２ａの山部には平歯車１２ｂが形成されており、この平歯車１２ｂが、固定筒１１の内面凹部１１ｃ（図３）に位置させて回動自在に支持した駆動ピニオン１３（図１５参照）と常時噛み合う。
【００１５】
従って、カムヘリコイド環１２は、駆動ピニオン１３及び平歯車１２ｂを介して回動すると、雄ヘリコイド１２ａと雌ヘリコイド１１ａに従って光軸方向に移動する。本実施形態のズームレンズ鏡筒は、このカムヘリコイド環１２が光軸Ｏを中心とする唯一の回動部材である。
【００１６】
カムヘリコイド環１２の外周には、直進案内環１４が嵌まっている。この直進案内環１４は、その後端部外面に径方向の直進案内突起１４ａを有し、後端部の内面にバヨネット突起１４ｂ（図４）を有する。直進案内突起１４ａは、固定筒１１の直進案内溝１１ｂに相対移動自在に嵌まっており、バヨネット突起１４ｂは、カムヘリコイド環１２の雄ヘリコイド１２ａ（平歯車１２ｂ）の直前に形成した周方向溝１２ｃに相対回転自在に嵌まっている。従って直進案内環１４は、回転せずに光軸方向にカムヘリコイド環１２と一緒に移動する。
【００１７】
カムヘリコイド環１２の外周面には、図４、図９、図１６に示すように、第１レンズ群Ｌ１を支持した１群移動枠（遮光シート変形枠）１５用のカム溝Ｃ１５と、飾り筒１６用のカム溝Ｃ１６が形成されており、内周面には、第２レンズ群Ｌ２を支持した２群移動枠（中鏡筒）１７用のカム溝Ｃ１７（図１９参照）が形成されている。
【００１８】
１群用カム溝Ｃ１５と飾り筒用カム溝Ｃ１６は、僅かに形状が相違し、それぞれ周方向に離隔させて３本ずつ形成され、２群用カム溝Ｃ１７は同一基礎軌跡が周方向及び光軸方向に離隔させて６本形成されている。１群移動枠１５、飾り筒１６、２群移動枠１７はそれぞれ光軸方向に直進案内されており、これらの１群用カム溝Ｃ１５、飾り筒用カム溝Ｃ１６、２群用カム溝Ｃ１７に従って、カムヘリコイド環１２の回転に伴って光軸方向に進退する。
【００１９】
これらの直進案内関係を説明する。１群移動枠１５は、図４、図５に示すように、外筒１５Ｘ、内筒１５Ｙ及びこの外筒１５Ｘと内筒１５Ｙの先端部を接続したフランジ壁１５Ｚを有する断面コ字状をなしており、外筒１５Ｘと内筒１５Ｙの間に、カムヘリコイド環１２が位置している。外筒１５Ｘの後端部には、カムヘリコイド環１２の１群用カム溝Ｃ１５に嵌まるカムフォロア１５ａが固定されている。内筒１５Ｙの先端部には、図８、図９に示すように、第１レンズ群Ｌ１を固定した１群枠２４が螺合固定されている。１群枠２４は、第１レンズ群Ｌ１を光軸方向に位置調整してズーミング調整する際に用いることができる。
【００２０】
固定筒１１に直進案内されている直進案内環１４の内周面には、光軸Ｏと平行な直進案内溝１４ｃ（図９）が略１２０゜間隔で形成されており、この直進案内溝１４ｃに、外筒１５Ｘの後端部から径方向に突出させた直進案内突起１５ｂが嵌まっている。１群移動枠１５の外筒１５Ｘには、組立用溝１５ｃの後端部に幅の狭い直進案内溝１５ｄ（図１６）が形成されており、この直進案内溝１５ｄに、外筒１５Ｘと直進案内環１４の間に位置する飾り筒１６に固定した直進案内キー１６ａが位置している。
【００２１】
１群移動枠１５と飾り筒１６の光軸方向の相対移動距離（１群用カム溝Ｃ１５と飾り筒用カム溝Ｃ１６の形状の違い）は、僅かであり、直進案内溝１５ｄの光軸方向の長さもこれに対応して短い。直進案内キー１６ａには一体に、飾り筒用カム溝Ｃ１６に嵌まるカムフォロア１６ｂが設けられている。
【００２２】
１群移動枠１５と飾り筒１６との間には、圧縮コイルばね１９（図３ないし図５参照）が挿入されている。この圧縮コイルばね１９は、１群移動枠１５を後方に、飾り筒１６を前方に移動付勢して、１群用カム溝Ｃ１５とカムフォロア１５ａの間、及び飾り筒用カム溝Ｃ１６とカムフォロア１６ｂの間のバックラッシュをとる作用をする。
【００２３】
また、１群用カム溝Ｃ１５と飾り筒用カム溝Ｃ１６は、図１６に示すように、撮影位置と比較して収納位置においては飾り筒１６（図３）を１群移動枠１５に対して前方に出し、バリアブロック３０（図８）のバリアと第１レンズ群Ｌ１との干渉を防ぐように僅かに形状を異ならせて設定されている。図３に示す収納位置において、１群移動枠１５の前端部のフランジ壁１５Ｚと、その前方に位置する飾り筒１６のフランジ壁との間のクリアランスは、図４または図５に示す撮影状態における両フランジ壁間のクリアランスよりも大きく形成されているのが分かる。別言すると、撮影位置においては、バリアブロック３０を第１レンズ群Ｌ１に接近させることで、バリアブロック３０によるケラレを防止している。バリアブロック３０は、飾り筒１６の前端部に支持されており、該バリアブロック３０のすぐ後方に位置させたバリア開閉環３１（図９）を収納位置近傍においてカムヘリコイド環１２によって回転させることで、バリアの開閉を行う。このようなバリア開閉環３１の回転運動でバリアブロック３０の開閉を行うバリア機構は周知である。
【００２４】
また、飾り筒用カム溝Ｃ１６は、その前端部が開放されており、飾り筒１６のカムフォロア１６ｂは、特定の組立位置において、その開放端Ｃ１６ａ（図１６）から該カム溝Ｃ１６内に挿入される。１群用カム溝Ｃ１５についても、同様に前端開放端Ｃ１５ａから１群移動枠１５のカムフォロア１５ａが挿入される。  
【００２５】
１群移動枠１５の内筒１５Ｙには、その内周面に光軸Ｏと平行な方向の３本の直進案内突起１５ｆ（図６、図７）が形成されており、２群移動枠１７には、この直進案内突起１５ｆが相対摺動自在に嵌まる光軸Ｏと平行な方向の３本の直進案内貫通溝１７ａが形成されている。直進案内突起１５ｆにはその中心部に、光軸Ｏと平行な方向の吊り溝１５ｅが形成されており、この吊り溝１５ｅの後端部は周方向壁１５ｅ’で閉じられている（図１７、図１８、図２０、図２２、図２３参照）。２群移動枠１７には、カムヘリコイド環１２の２群用カム溝Ｃ１７に嵌まるカムフォロア１７ｃが形成されている。
【００２６】
２群移動枠１７の内周には、第３レンズ群Ｌ３を支持した３群移動枠（内鏡筒）１８が位置している。この３群移動枠１８には、２群移動枠１７の直進案内貫通溝１７ａに内側から相対摺動自在に嵌まる光軸Ｏと平行な直進案内突起１８ａが形成されている。３群移動枠１８の先端部には、直進案内突起１８ａの中心部に位置させて、吊り溝１５ｅに嵌まる直進キー（ストッパ突起）１８ｂ（図１１、図１７、図１８）が形成されている。
【００２７】
図１１に示すように、３群移動枠１８には、第３レンズ群Ｌ３の前方に位置させてシャッタブロック２０が挿入され、抑え環２０ａで固定されている。そして、この３群移動枠１８（抑え環２０ａ）と２群移動枠１７との間には、圧縮コイルばね２１が挿入されていて、常時、２群移動枠１７に対して３群移動枠１８を後方に移動付勢している。
【００２８】
この３群移動枠１８の後方への移動端は、直進キー１８ｂが１群移動枠１５の吊り溝１５ｅの後端部に当接する位置で規制される。すなわち、撮影状態においては、直進キー１８ｂが１群移動枠１５の吊り溝１５ｅの後端部に当接した状態が維持され、第１レンズ群Ｌ１と第３レンズ群Ｌ３との相対間隔が一定となる。ズームレンズ鏡筒が撮影状態から収納状態へ変化する際には、第３レンズ群Ｌ３（３群移動枠１８）が機械的な後退端に達した後、第１レンズ群Ｌ１が１群用カム溝Ｃ１５に従ってさらに後退すると、圧縮コイルばね２１が撓んで第１レンズ群Ｌ１が第３レンズ群Ｌ３に接近する（図１参照）。直進キー１８ｂは頭部が膨らんでいて、吊り溝１５ｅからの脱落が防止されている。
【００２９】
圧縮コイルばね２１は、直接２群移動枠１７に作用させてもよい（第２レンズ群Ｌ２は２群移動枠１７に固定してもよい）が、図示実施形態では、収納長の一層の短縮を図るため、２群移動枠１７に対して第２レンズ群Ｌ２を後退可能としている。図１２、図１３はその構成を示すもので、２群移動枠１７には、先端部に内方フランジ１７ｄを有する筒状部１７ｅが形成されており、この筒状部１７ｅには、光軸Ｏと平行で後端及び前端が開放された直進案内溝１７ｆが、周方向に等角度間隔で３本形成されている。筒状部１７ｅには、中間筒部材２５に形成したフランジ部２５ａが嵌っており、フランジ部２５ａの外周面に周方向に等角度間隔で突設した径方向外向きの３本の案内突起２５ｄが、対応する直進案内溝１７ｆに後方からそれぞれ嵌められている。このため、中間筒部材２５は２群移動枠１７に対して、光軸回りの相対回転が規制され、光軸方向にのみ相対移動可能であり、フランジ部２５ａの前面が内方フランジ１７ｄの後面に当接するまで前方へ移動できる。
【００３０】
第２レンズ群Ｌ２は、２群枠２６に固定されており、この２群枠２６の雄ねじ２６ｂが中間筒部材２５の内周に形成された雌ねじ２５ｅに螺合されている。従って、光軸回りの回転が規制された中間筒部材２５に対して２群枠２６を回転させることで、第２レンズ群Ｌ２の光軸方向の位置を調整（ズーミング調整）することができ、調整後は、接着剤穴２５ｂから接着剤を滴下することで、２群枠２６を中間筒部材２５に固定することができる。
【００３１】
２群移動枠１７の内方フランジ１７ｄの前端面と２群枠２６の外方フランジ２６ａとの間には、調整代を含めた隙間Ｃ２（図１３）が存在する。圧縮コイルばね２１は、中間筒部材２５に作用しており、常時は（撮影状態では）、中間筒部材２５はフランジ部２５ａが内方フランジ１７ｄに当接する位置に保持される。つまり、第２レンズ群Ｌ２の位置は撮影状態では２群用カム溝Ｃ１７によって制御される一方、収納時には、２群枠２６が１群枠２４の後端によって機械的に後方に押されることで、外方フランジ２６ａが内方フランジ１７ｄに当接する位置まで後退でき、隙間Ｃ２分の収納長の短縮ができる。
【００３２】
中間筒部材２５には、遮光枠２７が支持されている。遮光枠２７は、環状の遮光部２７ａと、この環状遮光部２７ａから略１２０゜間隔で前方に延びる保持脚２７ｂと、保持脚２７ｂの先端部を外方に曲折した抜け止めフック部２７ｃとを有しており、中間筒部材２５には、この抜け止めフック部２７ｃが嵌まる遮光部材保持穴２５ｃが形成されている（図１２）。
【００３３】
そして、遮光枠２７と２群枠２６の間には、円錐コイルばね２８が挿入されていて、遮光枠２７を常時後方に移動付勢している。この遮光枠２７は、鏡筒を収納するとき、遮光枠２７が機械的な後退端に達すると、円錐コイルばね２８を撓ませて２群枠２６に接近する。遮光部材保持穴２５ｃの光軸方向長は、環状遮光部２７ａが第２レンズ群Ｌ２に当接できるように設定されている。
【００３４】
円錐コイルばね２８はさらに、２群枠２６を回転させて行うズーミング調整時のバックラッシュ取りの作用をする。ズーミング調整は、画像位置を観察しながら、第２レンズ群Ｌ２の光軸方向位置を調整して行う調整であり、２群枠２６の中間筒部材２５（２群移動枠１７）に対するバックラッシュを除去することにより、正確な調整ができる。
【００３５】
第４レンズ群Ｌ４は、４群枠２２に固定されている。第４レンズ群Ｌ４は前述のように、バリフォーカルレンズ系の焦点移動を補正する役割と、フォーカスレンズ群としての役割をもっており、パルスモータ２３によって進退制御される。すなわち、パルスモータ２３の駆動軸はねじ軸２３ａであり、このねじ軸２３ａに回転を規制されたナット部材２３ｂが螺合している。ナット部材２３ｂは、ばね手段Ｓ（図１５）によって、常時４群枠２２の足部２２ａに当接する方向に移動付勢されており、４群枠２２は、径方向腕２２ｃに係合するガイドバー２２ｂによって回転を規制されている。よって、パルスモータ２３を駆動すると、４群枠２２（第４レンズ群Ｌ４）が光軸方向に進退する。パルスモータ２３は、焦点距離情報及び被写体距離情報に応じて制御される。
【００３６】
従って、上記構成の本ズームレンズ鏡筒は、駆動ピニオン１３を介してカムヘリコイド環１２を回転させると、直進案内されている１群移動枠１５、飾り筒１６、２群移動枠１７がカム溝Ｃ１５、Ｃ１６、Ｃ１７に従って光軸方向に移動する。３群移動枠１８は、１群移動枠１５が収納位置から前進して直進キー（ストッパ突起）１８ｂが吊り溝１５ｅの後端部に当接すると、１群移動枠１５と一緒に移動する。また第４レンズ群Ｌ４は焦点距離情報に応じて制御されるパルスモータ２３によって位置制御され、バリフォーカルレンズ系の焦点移動の補正が行われる。その結果、図１のようなズーミング軌跡が得られる。また、パルスモータ２３は、被写体距離情報によっても制御され、フォーカシング動作が実行される。
【００３７】
以上のズームレンズ鏡筒では、２群移動枠１７に形成した直進案内貫通溝１７ａに、３群移動枠１８に形成した直進案内突起１８ａが摺動自在に嵌まり、直進案内突起１８ａの前端部に突出形成したストッパ突起１８ｂは直進案内貫通溝１７ａを通って１群移動枠１５の貫通穴である吊り溝１５ｅに嵌まっている。また１群移動枠１５には貫通穴である組立用溝１５ｃ、直進案内溝１５ｄが形成されており、２群移動枠１７には、その後部に、後端開放貫通溝１７ｇ（図９、図１２、図２０、図２１）が形成されている。このため、これらの貫通穴を通って有害光Ａ（図２４、図２５）が撮像面に達するおそれがある。有害光Ａは、特に長焦点距離側にズーミングして、１群移動枠１５、２群移動枠１７、３群移動枠１８が光軸方向に離間するときに撮像面に達しやすい。
【００３８】
本実施形態は、この有害光Ａの進入を防止するために、図２０ないし図２５に示すように、３群移動枠１８の後端面に遮光性材料からなる遮光シート４０を貼着している。遮光シート４０は、図２０ないし図２５のみに描いており、図１ないし図１９には描いていない。この遮光シート４０は、図２０に明らかなように、平板状であり、光軸Ｏを中心とする環状部（固定部）４１と、この環状部４１から径方向に突出する３つの遮光弾性舌片４２と、これとは別の２つの遮光弾性舌片４３とを有している。３つの遮光弾性舌片４２は、２群移動枠１７の３本の直進案内貫通溝１７ａに対応しており、２つの遮光弾性舌片４３は、２群移動枠１７の２つの後端開放貫通溝１７ｇに対応している。環状部４１は、３群移動枠１８の後端面に接着されており、遮光弾性舌片４２は、その先端部がカムヘリコイド環１２の内周面に接触する長さと、該カムヘリコイド環１２より小径の１群移動枠１５の内筒１５Ｙに接触したとき弾性変形する柔軟性を有している。カムヘリコイド環１２の内周面には、少なくとも遮光弾性舌片４２の対応部分には貫通穴は存在しない。環状部４１には、必要に応じ補強板を接着することができる。
【００３９】
図２２、図２３は、遮光シート４０の遮光弾性舌片４２が存在する部分（２群移動枠１７の直進案内貫通溝１７ａ部分）のズームレンズ鏡筒の縦断面であり、図２２は収納状態、図２３は最大繰出状態を示している。図２２に示すように、収納時には、遮光弾性舌片４２は、１群移動枠１５の内筒１５Ｙ（吊り溝１５ｅの存在する部分）によって弾性変形し、収納することができる。この収納状態から撮影状態に移行すると、１群移動枠１５の内筒１５Ｙの後端部（周方向壁１５ｅ’）が遮光弾性舌片４２を超えたとき、該遮光弾性舌片４２は２群移動枠１７の直進案内貫通溝１７ａから外方に突出し、カムヘリコイド環１２の内周面に接触して有害光Ａの進入を防ぐ。
【００４０】
図２４、図２５は、遮光シート４０の遮光弾性舌片４３が存在する部分（２群移動枠１７の後端開放貫通溝１７ｇ部分）のズームレンズ鏡筒の縦断面であり、図２４は収納状態、図２５は最大繰出状態を示している。図２４に示すように、収納時には、遮光弾性舌片４３は、１群移動枠１５の内筒１５Ｙによって弾性変形し、収納することができる。この収納状態から撮影状態に移行すると、１群移動枠１５の内筒１５Ｙの後端部が弾性舌片４３を超えたとき、該弾性舌片４３はカムヘリコイド環１２の内周面に接触して有害光Ａの進入を防ぐ。このように有害光Ａは、３群移動枠１８に接着された遮光シート４０の遮光弾性舌片４２、４３によって全ズーム域において、撮像面に到達することなく、遮断される。以上のような構成の遮光構造によると、３群移動枠１８に遮光シート４０を接着するという簡単な構造で、１群移動枠１５および２群移動枠１７の貫通溝から進入する有害光Ａが撮像面に到達することを防止することができる。
なお、２群移動枠１７の後端開放貫通溝１７ｇは全てが遮光弾性舌片４３で塞がれるわけではないが、遮光弾性舌片４３が存在しない部分は、他の鏡筒部材が進入して遮光することができる。
【００４１】
以上の実施形態で説明したズームレンズ鏡筒は、本発明の遮光構造を適用した一例である。本発明の遮光構造は、外鏡筒と、この外鏡筒に対して相対移動可能で貫通溝を有する中鏡筒と、この中鏡筒に対して相対移動可能な内鏡筒とを同軸に配し、内鏡筒の外周面にこれらの貫通溝に摺動自在に相対移動自在に嵌まる光軸と平行な直進案内突起を形成したズームレンズ鏡筒であれば適用可能である。
【図面の簡単な説明】
【００４２】
【図１】本発明によるズームレンズ鏡筒を適用するズームレンズ系のズーミング基礎軌跡を示す図である。
【図２】同ズームレンズ系の構成レンズ群とそのレンズ枠を示す半切斜視図である。
【図３】本発明の一実施形態によるズームレンズ鏡筒の収納状態における上半断面図である。
【図４】同ズームレンズ鏡筒のワイド端無限遠撮影状態における上半断面図である。
【図５】同ズームレンズ鏡筒のテレ端無限遠撮影状態における下半断面図である。
【図６】図３のＶＩ-ＶＩ線に沿う断面図である。
【図７】図３のＶＩＩ-ＶＩＩ線に沿う断面図である。
【図８】同ズームレンズ鏡筒の一部の分解斜視図である。
【図９】同別の部分の分解斜視図である。
【図１０】１群移動枠回りの分解斜視図である。
【図１１】３群移動枠回りの分解斜視図である。
【図１２】２群移動枠回りの分解斜視図である。
【図１３】２群移動枠回りの上半断面図である。
【図１４】固定筒に支持するパルスモータ回りの背面から見た分解斜視図である。
【図１５】同固定筒と第４レンズ群回りの分解斜視図である。
【図１６】カムヘリコイド筒の１群用カム溝と飾り筒用カム溝の展開図である。
【図１７】１群移動枠、２群移動枠及び３群移動枠の直進案内関係を示す展開図である。
【図１８】同拡大展開図である。
【図１９】カムヘリコイド環の２群用カム溝の形状を示す展開図である。
【図２０】同ズームレンズ鏡筒の一部の分解斜視図である。
【図２１】３群移動枠の背面から見た図である。
【図２２】同ズームレンズ鏡筒の収納時における、２群移動枠の直進案内溝部分の縦断面図である。
【図２３】同ズームレンズ鏡筒の最大繰出状態における縦断面図である。
【図２４】同ズームレンズ鏡筒の収納時における、遮光シートの図２２、図２３とは別の断面における縦断面図である。
【図２５】同ズームレンズ鏡筒の最大繰出状態における縦断面図である。
【符号の説明】
【００４３】
Ｃ２  隙間
Ｃ１５  Ｃ１６  Ｃ１７  カム溝
Ｃ１５ａ  Ｃ１６ａ  開放端
Ｌ１  第１レンズ群
Ｌ２  第２レンズ群
Ｌ３  第３レンズ群
Ｌ４  第４レンズ群
Ａ  有害光
Ｏ  光軸
Ｓ  ばね手段
１１  固定筒
１１ａ  雌ヘリコイド
１１ｂ  直進案内溝
１１ｃ  内面凹部
１２  カムヘリコイド環（外鏡筒）
１２ａ  雄ヘリコイド
１２ｂ  平歯車
１２ｃ  周方向溝
１３  駆動ピニオン
１４  直進案内環
１４ａ  直進案内突起
１４ｂ  バヨネット突起
１４ｃ  直進案内溝
１５  １群移動枠（遮光シート変形枠）
１５ａ  カムフォロア
１５ｂ  直進案内突起
１５ｃ  組立用溝
１５ｄ  直進案内溝
１５ｅ  吊り溝
１５ｅ’  周方向壁
１５ｆ  直進案内突起
１５Ｘ  外筒
１５Ｙ  内筒
１５Ｚ  フランジ壁
１６  飾り筒
１６ａ  直進案内キー
１６ｂ  カムフォロア
１７  ２群移動枠（中鏡筒）
１７ａ  直進案内貫通溝
１７ｃ  カムフォロア
１７ｄ  内方フランジ
１７ｅ  筒状部
１７ｆ  直進案内溝
１７ｇ  後端開放貫通溝
１８  ３群移動枠（内鏡筒）
１８ａ  直進案内突起
１８ｂ  ストッパ突起（直進キー）
１９  圧縮コイルばね
２０  シャッタブロック
２０ａ  抑え環
２１  圧縮コイルばね
２２  ４群枠
２２ａ  足部
２２ｂ  ガイドバー
２２ｃ  径方向腕
２３  パルスモータ
２３ａ  ねじ軸
２３ｂ  ナット部材
２４  １群枠
２５  中間筒部材
２５ａ  フランジ部
２５ｂ  接着剤穴
２５ｃ  遮光部材保持穴
２５ｄ  案内突起
２５ｅ  雌ねじ
２６  ２群枠
２６ａ  外方フランジ
２６ｂ  雄ねじ
２７  遮光枠
２７ａ  環状遮光部
２７ｂ  保持脚
２７ｃ  抜け止めフック部
２８  円錐コイルばね
３０  バリアブロック
３１  バリア開閉環
４０  遮光シート
４１  環状部（固定部）
４２  ４３  遮光弾性舌片
【図１】
2006079070.tif 000003
【図２】
2006079070.tif 000004
【図３】
2006079070.tif 000005
【図４】
2006079070.tif 000006
【図５】
2006079070.tif 000007
【図６】
2006079070.tif 000008
【図７】
2006079070.tif 000009
【図８】
2006079070.tif 000010
【図９】
2006079070.tif 000011
【図１０】
2006079070.tif 000012
【図１１】
2006079070.tif 000013
【図１２】
2006079070.tif 000014
【図１３】
2006079070.tif 000015
【図１４】
2006079070.tif 000016
【図１５】
2006079070.tif 000017
【図１６】
2006079070.tif 000018
【図１７】
2006079070.tif 000019
【図１８】
2006079070.tif 000020
【図１９】
2006079070.tif 000021
【図２０】
2006079070.tif 000022
【図２１】
2006079070.tif 000023
【図２２】
2006079070.tif 000024
【図２３】
2006079070.tif 000025
【図２４】
2006079070.tif 000026
【図２５】
2006079070.tif 000027